(57)【要約】【課題】複数の学習者が撮影された映像音声情報の中から特定の学習者の映像音声情報のみを視聴する、また、２つの動作の比較を行いたい場合、２つの映像音声情報を同期させて同時に視聴する。【解決手段】学習者は、個人識別子であるタグＩＤが予めそれぞれ記憶されたタグＩＤ発信機１０を携帯している。タグＩＤ信号生成部２２は、タグＩＤ受信機２１により受信さたタグＩＤに基づいて、タグＩＤ信号の生成を行う。タグＩＤ信号付加部２４は、映像音声記録装置２３からの映像音声信号に対して、タグＩＤ信号生成部２２により生成されたタグＩＤ信号をクローズドキャプション信号として付加する。再生開始点調整部３２は、比較対照の２つの映像音声情報における音声の波形、映像の動きベクトルを比較して類似している位置を検出して再生開始点調整を行いユーザの端末５０に配信する。【選択図】      図１
2004336117.tif 000002
【特許請求の範囲】
【請求項１】
予め撮影された学習者の映像音声情報を、ユーザの要求に応じてネットワークを介して配信する学習用ＶＯＤ型システムであって、
学習者を特定するためのＩＤ情報であるタグＩＤが予め記憶されているタグＩＤ送信機から送信された電波を受信しこの電波に含まれているタグＩＤを取り出すタグＩＤ受信機と、前記タグＩＤ受信機により受信さたタグＩＤに基づいてタグＩＤ信号の生成を行うタグＩＤ信号生成部と、前記タグＩＤ発信機を携帯した学習者の撮影を行い撮影された映像音声信号を出力する映像音声記録装置と、前記映像音声記録装置からの映像音声信号に対して、前記タグＩＤ信号生成部により生成されたタグＩＤ信号を付加するタグＩＤ信号付加部とから構成される映像音声撮影装置と、
前記タグＩＤ信号付加部によりタグＩＤ信号が付加された映像音声信号を格納する外部記憶装置と、
前記外部記憶装置に格納されている映像音声情報の中から、ユーザの端末により指定されたタグＩＤが付与されている映像音声部分のみを検索して抽出する検索・抽出部と、前記検索・抽出部により抽出された学習者の映像音声情報と比較対照の映像音声情報における音声の波形または映像の動きベクトルを比較して類似している位置を検出して再生開始点調整を行う再生開始点調整部とから構成されるタグＩＤ付ＶＯＤシステムと、を備えた学習用ＶＯＤ型システム。
【請求項２】
前記タグＩＤ信号付加部は、前記タグＩＤ信号をクローズドキャプション信号として前記映像音声記録装置からの映像音声信号に対して付加する請求項１記載の学習用ＶＯＤ型システム。
【請求項３】
予め撮影された学習者の映像音声情報を、ユーザの要求に応じてネットワークを介して配信する学習用ＶＯＤ型映像配信方法であって、
学習者を特定するためのＩＤ情報であるタグＩＤが予め記憶されているタグＩＤ送信機から送信された電波をタグＩＤ受信機により受信し、この電波に含まれているタグＩＤを取り出すステップと、
前記タグＩＤ受信機により受信さたタグＩＤに基づいてタグＩＤ信号の生成を行うステップと、
前記タグＩＤ発信機を携帯した学習者が撮影された映像音声信号に対して、生成された前記タグＩＤ信号を付加するステップと、
前記タグＩＤ信号が付加された映像音声情報の中から、ユーザの端末により指定されたタグＩＤが付与されている映像音声部分のみを検索して抽出するステップと、
抽出された前記学習者の映像音声情報と比較対照の映像音声情報における音声の波形または映像の動きベクトルを比較して類似している位置を検出して再生開始点調整を行うステップと、を備えた学習用ＶＯＤ型映像配信方法。
【請求項４】
前記タグＩＤ信号を付加するステップが、前記タグＩＤ信号をクローズドキャプション信号として撮影された前記映像音声信号に対して付加するステップを有する請求項３記載の学習用ＶＯＤ型映像配信方法。
【請求項５】
予め撮影された学習者の映像音声情報を、ユーザの要求に応じてネットワークを介して配信する学習用ＶＯＤ型映像配信方法をコンピュータに実行させるためのプログラムが記録された記録媒体であって、
学習者を特定するためのＩＤ情報であるタグＩＤが予め記憶されているタグＩＤ送信機から送信された電波をタグＩＤ受信機により受信し、この電波に含まれているタグＩＤを取り出す処理と、
前記タグＩＤ受信機により受信さたタグＩＤに基づいてタグＩＤ信号の生成を行う処理と、
前記タグＩＤ発信機を携帯した学習者が撮影された映像音声信号に対して、生成された前記タグＩＤ信号を付加する処理と、
前記タグＩＤ信号が付加された映像音声情報の中から、ユーザの端末により指定されたタグＩＤが付与されている映像音声部分のみを検索して抽出する処理と、
抽出された前記学習者の映像音声情報と比較対照の映像音声情報における音声の波形または映像の動きベクトルを比較して類似している位置を検出して再生開始点調整を行う処理と、をコンピュータに実行させるためのプログラムが記録された記録媒体。
【請求項６】
前記タグＩＤ信号を付加する処理が、前記タグＩＤ信号をクローズドキャプション信号として撮影された前記映像音声信号に対して付加する処理を含む請求項５記載の記録媒体。
【請求項７】
予め撮影された学習者の映像音声情報を、ユーザの要求に応じてネットワークを介して配信する学習用ＶＯＤ型映像配信方法をコンピュータに実行させるためのプログラムであって、
学習者を特定するためのＩＤ情報であるタグＩＤが予め記憶されているタグＩＤ送信機から送信された電波をタグＩＤ受信機により受信し、この電波に含まれているタグＩＤを取り出す処理と、
前記タグＩＤ受信機により受信さたタグＩＤに基づいてタグＩＤ信号の生成を行う処理と、
前記タグＩＤ発信機を携帯した学習者が撮影された映像音声信号に対して、生成された前記タグＩＤ信号を付加する処理と、
前記タグＩＤ信号が付加された映像音声情報の中から、ユーザの端末により指定されたタグＩＤが付与されている映像音声部分のみを検索して抽出する処理と、
抽出された前記学習者の映像音声情報と比較対照の映像音声情報における音声の波形または映像の動きベクトルを比較して類似している位置を検出して再生開始点調整を行う処理と、をコンピュータに実行させるためのプログラム。
【請求項８】
前記タグＩＤ信号を付加する処理が、前記タグＩＤ信号をクローズドキャプション信号として撮影された前記映像音声信号に対して付加する処理を含む請求項７記載のプログラム。
【発明の詳細な説明】
【０００１】
【発明の属する技術分野】
本発明は、予め撮影された学習者の映像音声情報を、ユーザの要求に応じてネットワークを介して配信する学習用ＶＯＤ（Ｖｉｄｅｏ  Ｏｎ  Ｄｅｍａｎｄ）型システムに関する。
【０００２】
【従来の技術】
スポーツやダンス等の動作の指導が行われる場合、教授者の指導を受ける学習者の動作を撮影することが広く行われている。また、このような場合には、学習者の映像と教授者の映像を比較することにより学習者のどこが悪いのかを見つけるようなことも行われる。
【０００３】
このように学習者の動作を撮影した場合、撮影された映像をその場で視聴するのではなく、一旦記憶装置に格納しておき、インターネット等のネットワークを利用することにより学習者が自宅に設置された端末から自分の動作の映像を視聴できるようにするシステムも実現可能である。
【０００４】
しかし、多数の学習者が存在する場合、利用者は、格納された映像音声情報のうち自己の動作が撮影された部分のみを見たい場合でも、他人の映像音声情報も視聴しなければならないという問題が発生する。学習者毎に映像音声情報を分割すればこのような問題を解消できるが、複数の学習者が短時間で入れ替わって撮影されている場合には、映像音声情報を分割することも困難であるため、映像音声情報を分割しただけでは上記の問題を解決することはできない。
【０００５】
また、従来のシステムでは、学習者が自己の動作と教授者の動作との比較を行いたい場合、自己の動作が撮影された映像音声情報と教授者の動作が撮影された映像音声情報を別々に視聴する必要がある。また、２つの映像情報を同時に視聴しようと思っても、各動作のタイミングがずれてしまっていると比較することが困難となる。
【０００６】
映像の同期処理を行うシステムとしては、放送中の映像音声情報における動画像と音声とのずれを補正するようなシステムが提案されていた（例えば、特許文献１参照。）。しかし、この従来システムは、同一コンテンツ内において画像と音声との同期をとるためのシステムであるため、教授者と学習者との動作比較する際に必要な、複数画面を同期して視聴することはできない。
【０００７】
【特許文献１】
特開２０００−１９６９１７号公報
【０００８】
【発明が解決しようとする課題】
上述した従来の学習用ＶＯＤ型システムでは、下記のような問題点があった。
（１）複数の学習者が撮影された映像音声情報の中から特定の学習者の映像音声情報のみを視聴することができない。
（２）学習者の動作と教授者の動作のような２つの動作の比較を行いたい場合、２つの映像音声情報を同期させて同時に視聴することができない。
【０００９】
本発明の目的は、複数の学習者が撮影された映像音声情報の中から特定の学習者の映像音声情報のみを視聴することができ、２つの動作の比較を行いたい場合、２つの映像音声情報を同期させて同時に視聴することができる学習用ＶＯＤ型システムおよび学習用ＶＯＤ型映像配信方法を提供することである。
【００１０】
【課題を解決するための手段】
上記目的を達成するために、本発明は、予め撮影された学習者の映像音声情報を、ユーザの要求に応じてネットワークを介して配信する学習用ＶＯＤ型システムであって、
学習者を特定するためのＩＤ情報であるタグＩＤが予め記憶されているタグＩＤ送信機から送信された電波を受信しこの電波に含まれているタグＩＤを取り出すタグＩＤ受信機と、前記タグＩＤ受信機により受信さたタグＩＤに基づいてタグＩＤ信号の生成を行うタグＩＤ信号生成部と、前記タグＩＤ発信機を携帯した学習者の撮影を行い撮影された映像音声信号を出力する映像音声記録装置と、前記映像音声記録装置からの映像音声信号に対して、前記タグＩＤ信号生成部により生成されたタグＩＤ信号を付加するタグＩＤ信号付加部とから構成される映像音声撮影装置と、
前記タグＩＤ信号付加部によりタグＩＤ信号が付加された映像音声信号を格納する外部記憶装置と、
前記外部記憶装置に格納されている映像音声情報の中から、ユーザの端末により指定されたタグＩＤが付与されている映像音声部分のみを検索して抽出する検索・抽出部と、前記検索・抽出部により抽出された学習者の映像音声情報と比較対照の映像音声情報における音声の波形または映像の動きベクトルを比較して類似している位置を検出して再生開始点調整を行う再生開始点調整部とから構成されるタグＩＤ付ＶＯＤシステムとを備えている。
【００１１】
また、前記タグＩＤ信号付加部は、前記タグＩＤ信号をクローズドキャプション信号として前記映像音声記録装置からの映像音声信号に対して付加するようにしてもよい。
【００１２】
本発明では、学習者を特定するためのタグＩＤ信号を、撮影された映像音声情報に付加するようにしているので、撮影された映像音声情報の中から特定の学習者の映像音声情報のみを高い精度で高速に検索することが可能となる。また、タグＩＤ付ＶＯＤシステムでは、再生開始点調整部により学習者の映像音声情報と比較対照の映像音声情報との再生開始点の調整を行うようにしているので、ユーザの端末上で、学習者の映像情報と比較対照の映像情報とが同期して２画面で表示される。これにより、ユーザは、２つの画面を比較して学習を行うことが可能となる。
【００１３】
【発明の実施の形態】
次に、本発明の実施の形態について図面を参照して詳細に説明する。
【００１４】
図１は本発明の一実施形態の学習用ＶＯＤ型システムの構成を示すブロック図である。本実施形態の学習用ＶＯＤ型システムは、教授者であるテニスのコーチと、そのテニスのコーチによる指導を受ける学習者である生徒のテニスの練習の模様を撮影し、撮影された映像をＶＯＤ（Ｖｉｄｅｏ  Ｏｎ  Ｄｅｍａｎｄ）方式で配信する場合に用いられるシステムである。
【００１５】
本実施形態の学習用ＶＯＤ型システムは、図１に示されるように、発信機１０と、映像音声撮影装置であるビデオカメラ２０と、外部記憶装置２５と、タグＩＤ付ＶＯＤシステム３０とから構成されている。ビデオカメラ２０および外部記憶装置２５はテニスの指導が行われるスクール会場に設置され、タグＩＤ付ＶＯＤシステム３０はデータセンタに設置されている。また、学習者である利用者の自宅に設置された端末５０がインターネット４０を介してタグＩＤ付ＶＯＤシステム３０に接続されている。
【００１６】
本実施形態では、テニスのコーチを受ける各生徒は、学習者を特定するためのＩＤ情報であるタグＩＤが記憶されたタグＩＤ発信機１０をそれぞれ携帯している。タグＩＤ発信機１０は、各学習者毎に異なる個人識別子であるタグＩＤが予めそれぞれ記憶されていて、記憶されているタグＩＤを近距離無線通信等の電波に含めて送信する小型の無線送信機である。
【００１７】
そして、各生徒の練習模様は、ビデオカメラ２０により撮影される。本実施形態のビデオカメラ２０は、タグＩＤ受信機２１と、タグＩＤ信号生成部２２と、映像音声記録装置２３と、タグＩＤ信号付加部２４とから構成されている。
【００１８】
タグＩＤ受信機２１は、タグＩＤ送信機１０から送信された電波を受信し、この電波に含まれているタグＩＤを取り出す処理を行っている。タグＩＤ信号生成部２２は、タグＩＤ受信機２１により受信さたタグＩＤに基づいて、タグＩＤ信号の生成を行っている。映像音声記録装置２３は、タグＩＤ発信機１０を携帯した学習者の撮影を行い、撮影された映像音声信号を出力している。
【００１９】
タグＩＤ信号付加部２４は、映像音声記録装置２３からの映像音声信号に対して、タグＩＤ信号生成部２２により生成されたタグＩＤ信号をクローズドキャプション信号として付加する処理を行っている。クローズドキャプション信号とは北米のＴＶ用字幕信号のことで、表示される映像や音声に影響を与えることなく映像音声信号に付加できるようになっている。
【００２０】
そして、タグＩＤ信号付加部２４によりタグＩＤ信号が付加された映像音声信号は、外部記憶装置２５に格納される。
【００２１】
また、データセンタに設置されたタグＩＤ付ＶＯＤシステム３０は、検索・抽出部３１と、再生開始点調整部３２とから構成されている。
【００２２】
検索・抽出部３１は、外部記憶装置２５に格納されている映像音声情報の中から、端末５０により指定されたタグＩＤが付与されている映像音声部分のみを検索して抽出する。
【００２３】
再生開始点調整部３２は、検索・抽出部３１により抽出された学習者の映像音声情報と、教授者の映像音声情報における、音声の波形や映像の動きベクトルを比較して類似している位置を検出して再生開始点調整を行う。音声の波形や動きベクトルを比較して複数の画像音声信号の同期を取る方法については、従来技術を用いて実現することが可能であるため、ここでは詳細には説明しない。
【００２４】
次に、本実施形態の学習用ＶＯＤ型システムの動作について図面を参照して詳細に説明する。
【００２５】
本実施形態のビデオカメラ２０により、タグＩＤ発信機１０を携帯している学習者の撮影を行うと、ビデオカメラ２０の映像音声記録装置２３では映像音声信号が生成される。この撮影が行われるのと同時に、タグＩＤ発信機１０からの電波を受信することによりタグＩＤ受信機２１は、タグＩＤを受信する。タグＩＤ受信機２１により受信されたタグＩＤは、タグＩＤ信号生成部２２においてタグＩＤ信号に変換されタグＩＤ信号付加部２４に出力される。
【００２６】
タグＩＤ信号付加部２４では、クローズドキャプション方式により、映像音声記録装置２３からの映像音声信号に同期させて、タグＩＤ信号生成部２２からのタグＩＤ信号をクローズドキャプション信号として映像音声信号に付加する。
【００２７】
最後に、タグＩＤ信号付加部２４においてタグＩＤ信号が付加された映像音声信号は、外部記憶装置２５において格納される。
【００２８】
次に、テニスの指導を受けた学習者が帰宅して、自宅の端末５０を操作することによりインターネット４０を介して自己のタグＩＤを指定してタグＩＤ付ＶＯＤシステム３０にアクセスした場合の動作について説明する。
【００２９】
先ず、タグＩＤ付ＶＯＤシステム３０では、検索・抽出部３１が、外部記憶装置２５に格納されている映像音声情報の中から、端末５０により指定されたタグＩＤが付与されている映像音声部分のみを検索して抽出する。そして、再生開始点調整部３２は、検索・抽出部３１により抽出された学習者の映像音声情報と、教授者の映像音声情報における、音声の波形や映像の動きベクトルを比較して類似している位置を検出して再生開始点調整を行う。
【００３０】
このような処理が行われることにより、図２に示されるように、教授者の映像音声情報６１と、検索・抽出部３１により抽出された学習者の映像音声情報６３は、再生開始点調整が行われ、再生開始点調整後の教授者の映像音声情報６２および再生開始点調整後の学習者の映像音声情報６４として出力される。
【００３１】
本発明の一実施形態の学習用ＶＯＤ型システムにより再生開始点調整が行われた後の画像の一例を図３に示す。図３（ａ）は、教授者であるテニスのコーチの素振りの映像であり、図３（ｂ）は、学習者である生徒の素振りの映像である。図３に示すように、利用者の端末５０の画面には、教授者の画像と学習者の画像とが同期して２画面で表示される。これにより、利用者は、教授者であるテニスのコーチの素振りと自分の素振りを、比較して学習を行うことが可能となる。
【００３２】
また、本実施形態の学習用ＶＯＤ型システムより撮影された映像音声情報には学習者を特定するためのタグＩＤ信号が付加されている。そのため、学習者が多数存在している場合であっても、自己のタグＩＤが付加された映像のみを検索するようにすれば、撮影された映像音声情報の中から自己の映像音声情報のみを高い精度で高速に検索することが可能となる。
【００３３】
上記では、教授者と学習者の動作比較を行う場合について説明したが、本実施形態による同期再生の学習方法は、同一人物の過去と現在の動作比較を行う場合や、同一人物の正面と側面の動作比較を行う場合にも用いることが可能である。
【００３４】
また、本実施形態では、教授者と学習者との間でテニスの指導が行われる場合を用いて説明したが、本発明はこのような場合に限定されるものではなく、他のスポーツ、ダンス、料理、作業、工房等の作業・動作を伴う指導が行われる場合には同様に適用することが可能である。または、教授者と学習者との間で指導が行われる場合だけでなく、スポーツの解説番組等において異なる選手または同一の選手の動作比較を行うような場合にも同様に本願発明を適用することができるものである。
【００３５】
さらに、本実施形態では、学習者を特定するためのタグＩＤ信号をクローズドキャプション信号として映像音声情報に付加した場合を用いて説明したが、本発明はこれに限定されるものではなく、タグＩＤ信号を他の方法により映像音声情報に付加した場合でも同様に本発明を適用することができるものである。
【００３６】
また、図には示されていないが、本実施形態の学習用ＶＯＤ型システムは、上記で説明した映像配信方法を実行するためのプログラムを記録した記録媒体を備えている。この記録媒体は磁気ディスク、半導体メモリまたはその他の記録媒体であってもよい。このプログラムは、記録媒体からビデオカメラ２０、タグＩＤ付ＶＯＤシステム３０に読み込まれ、ビデオカメラ２０、タグＩＤ付ＶＯＤシステム３０の動作を制御する。具体的には、ビデオカメラ２０、タグＩＤ付ＶＯＤシステム３０内のＣＰＵがこのプログラムの制御によりビデオカメラ２０、タグＩＤ付ＶＯＤシステム３０のハードウェア資源に特定の処理を行うように指示することにより上記の処理が実現される。
【００３７】
【発明の効果】
以上説明したように、本発明によれば、下記のような効果を得ることができる。
（１）学習者を特定するためのタグＩＤ信号を、撮影された映像音声情報に付加するようにしているので、複数の学習者が撮影された映像音声情報の中から特定の学習者の映像音声情報のみを視聴することができる。
（２）２つの動作の比較を行いたい場合、再生開始点調整部において２つの映像音声情報の再生開始点の調整が行われるので、２つの映像音声情報を同期させて同時に視聴することができる。
【図面の簡単な説明】
【図１】本発明の一実施形態の学習用ＶＯＤ型システムの構成を示すブロック図である。
【図２】本発明の一実施形態の学習用ＶＯＤ型システムによる処理を示す図である。
【図３】本発明の一実施形態の学習用ＶＯＤ型システムにより再生開始点調整が行われた後の画像の一例を示す図である。
【符号の説明】
１０    タグＩＤ発信機
２０    ビデオカメラ
２１    タグＩＤ受信機
２２    タグＩＤ信号生成部
２３    映像音声記録装置
２４    タグＩＤ信号付加部
２５    外部記憶装置
３０    タグＩＤ付ＶＯＤシステム
３１    検索・抽出部
３２    再生開始点調整部
４０    インターネット
５０    端末
６１    教授者の映像音声情報
６２    再生開始点調整後の教授者の映像音声情報
６３    学習者の映像音声情報
６４    再生開始点調整後の学習者の映像音声情報
【図１】
2004336117.tif 000003
【図２】
2004336117.tif 000004
【図３】
2004336117.tif 000005